(57)【特許請求の範囲】
【請求項１】
情報機器の画面に表示されるカーソルを操作するためのトラックボールであって、
上部部分と前記上部部分を内部に収納可能な下部部分に分離されたボールであって、前記上部部分の縁と前記下部部分の縁とが係合して形成されるボールと、
前記下部部分の内部に設けられ、前記上部部分を、押下げて前記下部部分内の所定の位置にロックし、再度押下げて元の位置に復帰させる、前記下部部分を前記上部部分に接続するカム機構とを備え、前記上部部分は、
収納時において、前記ボールの直径方向に押し下げられて、前記カム機構により、押し下げられた状態でロックされて前記下部部分の内部に収納される状態を維持し、
使用時において、前記ボールの直径方向に押し下げられて、前記カム機構により、押し下げられた状態のロックがリリースされて前記カム機構の弾性力により直径方向へ押し上げられて、前記上部部分の縁と前記下部部分の縁とが係合して、前記ボールの外からの一定の圧力に対して球形状を維持できる、トラックボール。
【請求項２】
前記下部部分の縁部の前記上部部分との係合面はテーパ状をなし、前記上部部分と下部部分との縁部の継ぎ面は滑らかな球面を形成する請求項１に記載のトラックボール。
【請求項３】
前記上部部分の表面は前記下部部分の表面と色分けされ、前記上部部分を特定できる請求項１に記載のトラックボール。
【請求項４】
請求項１に記載のトラックボールを含む情報機器。
【請求項５】
表示部を含む上側部と、
入力部を含む下側部とを備え、
前記入力部は請求項１記載のトラックボールを含み、
前記上側部と前記下側部とが折り畳み可能な情報機器。
【請求項６】
請求項５に記載の情報機器は、
前記上側部と前記下側部とを開いた状態において、
前記収納状態の上部部分を直径方向に押し下げることによりカム機構のロックをリリースし、前記上部部分を直径方向に押し上げて前記上部部分の縁を前記下部部分の縁に押し付け係合させて前記ボールの球形状を回復させて、前記上部部分への前記ボールの外からの一定の力に対して球形状を維持し、
前記上側部と前記下側部とを折り畳む際に、前記使用状態の上部部分は、前記カム機構のロックの機能により、下部部分の内部に押し下げられて収納される、情報機器。
【請求項７】
請求項６に記載の情報機器は、
前記上側部と前記下側部とを折り畳んだ場合の前記上側部の内側表面が、前記トラックボールの収納時の前記上部部分の頂点と接触しないことを特徴とする、情報機器。
【請求項８】
前記カム機構は前記下部部分の内部に設けたハートカムである、請求項１に記載のトラックボール。
【発明の詳細な説明】
【技術分野】
【０００１】
本発明は、情報機器の画面に表示されるカーソルを操作するためのトラックボールに関する。より詳しくは、薄型の情報機器等に搭載可能なトラックボールに関する。
【背景技術】
【０００２】
トラックボール (Trackball) は、マウスなどと同様にコンピュータの操作に用いるポインティングデバイスの一種である。パーソナルコンピュータ（ＰＣ）等の情報機器本体の薄型化が進行するにつれて、ボールの直径が筐体の薄型化の阻害要因になる。また、ボールの直径を小さくした場合に良好な操作性を確保することが難しいことなどの問題がある。しかし、現在でも、医療機器の現場では操作性や「ボールをまわす」操作感覚が重要と考えられており、トラックボールを実装した機器が多い。
【０００３】
特許文献１は、使用時、トラックボール全体を本体ケース上に突出させ、非使用時にはトラックボール全体を本体ケース内に収納できるようにする情報処理装置を示す。
【先行技術文献】
【特許文献】
【０００４】
【特許文献１】特開平８−０３０３８５号公報
【発明の概要】
【発明が解決しようとする課題】
【０００５】
医療機器及び産業機器である超音波診断装置は、小型化、薄型化された部品を搭載することができるようになり、持ち運び可能な製品も登場している。機構部品の一つであるトラックボールは、ユーザーインターフェースの観点から薄型化することができず、これが機器の厚みを薄くすることを阻害している。例えば、特許文献１は、少なくともトラックボール分だけ厚さが必要であり、薄型化に限界がある。
【０００６】
従って、本発明の目的は、ユーザーインターフェースとしてのトラックボールをそのまま利用でき、情報機器の薄型化を実現できるトラックボールを提供することである。
【課題を解決するための手段】
【０００７】
かかる目的のもと、本発明は、情報機器の画面に表示されるカーソルを操作するためのトラックボールであって、
上部部分と前記上部部分を内部に収納可能な下部部分に分離されたボールであって、前記上部部分の縁と前記下部部分の縁とが重なり係合して形成されるボールと、
前記下部部分の内部に設けられ、前記上部部分を押下げて前記下部部分の内の底に近い位置にロックでき、前記上部部分を再度押下げてロックをリリースせいて元の位置に復帰できる、前記下部部分に前記上部部分を接続するカム機構とを備え、前記上部部分は、
（１）収納時において、
前記ボールの直径方向に押し下げられて、前記カム機構により、押し下げられた状態でロックされて前記下部部分の内部に収納される状態を維持し、
（２）使用時において、
前記ボールの直径方向に押し下げられて、前記カム機構により、押し下げられた状態のロックがリリースされて前記カム機構の弾性力により直径方向へ押し上げられて、前記上部部分の縁と前記下部部分の縁とが係合して、前記ボールの外からの一定の圧力に対して球形状を維持できる、トラックボールである。
【０００８】
ここで、このトラックボールは、前記下部部分の縁部の前記上部部分との係合面はテーパ状をなし、前記上部部分と下部部分との縁部の継ぎ面は滑らかな球面を形成することを特徴とする。
【０００９】
また、このトラックボールは、前記上部部分の表面は前記下部部分の表面と色分けされ、前記上部部分を特定できることを特徴とする。
【００１０】
更に、本発明は、上記トラックボールを含む情報機器である。
【００１１】
また、この情報機器は、表示部を含む上側部と、入力部（文字キー、機能キー、及びトラックボールを有するキーボード）を含む下側部とを備え、前記入力部は上記トラックボールを含み、前記上側部と前記下側部とが折り畳み可能であることを特徴とする。
【００１２】
更に、この情報機器は、前記上側部と前記下側部とを開いた状態において、
前記収納状態の上部部分を直径方向に押し下げることによりカム機構のロックをリリースし、前記上部部分を直径方向に押し上げて前記上部部分の縁を前記下部部分の縁に押し付け係合させて前記ボールの球形状を回復させて、前記上部部分への前記ボールの外からの一定の力に対して球形状を維持し、
前記上部部分と前記下部部分とを折り畳む際に、前記使用状態の上部部分は、前記カム機構のロックの機能により、下部部分の内部に押し下げられて収納されることを特徴とする。
【００１３】
また、この情報機器は、前記上側部と前記下側部とを折り畳んだ場合の前記上面の内側表面が、前記トラックボールの収納時の前記上部部分の頂点と接触しないことを特徴とする。
【００１４】
また、上記トラックボールのカム機構は、前記下部部分の内部に設けたハートカムである、ことを特徴とする。
【発明の効果】
【００１５】
上記構造のトラックボールを搭載すれば、情報機器の薄型化を実現できる。
【図面の簡単な説明】
【００１６】
【図１】本発明のトラックボールが搭載されたノートＰＣの斜視図を示す。
【図２】ノートブックＰＣの上面図を示す。
【図３】表示画面を有する上側部と下側部とを折り畳んだ従来のノートＰＣ側面のトラックボール中心での断面図を示す。
【図４】表示画面を有する上側部と下側部とを折り畳んだ本発明のノートＰＣ側面のトラックボール中心での断面図を示す。
【図５】本発明のトラックボールの使用状態の断面図を示す。
【図６】本発明のトラックボールの収納状態の断面図を示す。
【発明を実施するための形態】
【００１７】
以下、本発明のトラックボールの実施の形態（実施例）を説明する。
【００１８】
トラックボールは、手のひらで操作する関係上、ある程度ボールの直径が大きくないと操作性が悪い。また、手のひらでボールを回転させて使えるように、ボールは製品表面から飛び出した状態で使われる。ノートブックＰＣのような形状をしたポータブル機器の場合、持ち運びを考慮して情報処理の部品を内蔵した下側部と、表示部を搭載した上側部と、が折りたためる構造を採用している。典型的には、下側部は、ＣＰＵ及びメインメモリなど情報処理部品を内蔵しキーボードやトラックボールが搭載されている。上側部の表示部は、典型的にはＬＣＤ等の表示部が搭載されている。上側部と下側部を折りたたむと、トラックボールのボールが飛び出した部分がＬＣＤ等の表示画面にぶつからないような空間が必要になる。この空間分の高さに起因して機器を薄型化することができない。
【００１９】
情報機器において折りたたみを可能としつつ、その機器折りたたみ時の厚みを薄くするとともに、使用時には通常のトラックボールとして機能するトラックボールを発明である。本発明の対象の情報機器は、持ち運びを考慮してキーボードやトラックボールが搭載された下側部と、表示部が搭載された上側部が折りたためる構造である。ボールの一部（上部）を、ボール内部に格納できるカム機構を持つトラックボールを考案した。ボール内部にボールペンのノックのような構造を持たせ、格納と球形状への復帰を実現する。通常使用時、格納部はコイルスプリングで内部から押されている。カム機構により、使用時にボールは球形状を維持している。この状態では通常のトラックボールのように使用することができる。機器を折り畳むときなどにボール上部を格納する際には、この格納される上部部分が上にある状態で、上から指で強く押し下げることにより、ボール内部にあるカム機構が働き、上部部分が沈むとともに格納された状態でロックされる。再度、通常状態に戻すときには、格納された上部部分を再度上から指で押すことで、ロックが外（リリース）されてボールが球形状に復帰する。
【００２０】
図１は、本発明のトラックボールが搭載されたノートＰＣの斜視図を示す。図２は、そのノートブックＰＣの上面図を示す。ノートＰＣは、表示画面１２を有する上側部１０と入力装置を有する下側部１６とからなる。表示画面１２は典型的にはＬＣＤなどである。上側部１０と下側部１６とは、ヒンジ１４により折り畳み可能に結合されている。上側部１０はＣＰＵ、主記憶メモリ、ＨＤＤなど外部記憶装置を内部に搭載している。上側部１０と下側部１６とが開いた状態がＰＣの使用状態である。下側部１６は表面にキーボード１８、トラックボール２０、カーソル確定スイッチ２２など入力装置を組込んでいる。トラックボール２０を、ボールを手のひらなどで回転させて、方向づけて表示画面１２内でカーソルの操作を行う。カーソルの位置はカーソル確定スイッチ２２が押されて位置が確定する。
【００２１】
図３は、表示画面を有する上側部と下側部とを折り畳んだ従来のノートＰＣ側面のトラックボール中心での断面図を示す。トラックボール２０の上部部分が、下側部１６の表面（パームレスト）３３から突出し、上側部１０のＬＣＤ１２の表面と接触している。トラックボール２０が下側部１６の表面３３から突出しているため、上側部１０を下側部１６に折り畳んだとしても、トラックボール２０の上部部分の高さ分相当の間隙が必要である。そのためトラックボールを搭載したノートＰＣを薄くするに限界となる。
【００２２】
図４は、表示画面１２を有する上側部１０と下側部１６とを折り畳んだ本発明のノートＰＣ側面のトラックボール中心での断面図を示す。トラックボール２０の上部部分２４は、下部部分４０に収納され、下側部１６の表面３３より下に存在する。上部部分２４と下部部分４０はカム機構２８により接続されている。トラックボール２０の存在にかかわらず、上側部１０の表示画面１２を、下側部１６の表面３３に近づけることができるので、ノートＰＣなど情報機器の薄型化を可能となる。
【００２３】
本発明のボール部分２０が上部部分２４と下部部分４０部とに分離され、これら部分がカム機構により接続される。カム機構は下部部分４０の内部に含まれ、上部部分２４と下部部分４０の２段階の位置関係を確定させる。カム機構は、例えば、典型的にはハートカム、回転カム、円筒カムである。これらのカム機構は、上部部分２４を「プッシュ」すると下部部分４０内の底に近い位置に「ロック」即ち固定する機構と、再度上部部分を「プッシュ」すると「リリース」即ちロックを外す機構である。トラックボール使用状態から上部部分を押すと下部部分の底に近い位置に「ロック」即ち固定され収納状態になる。収納状態において、上部部分を「プッシュ」すると下部部分内の底に近い位置に固定された「ロック」が外れ（リリース）され、トラックボールは使用状態に復帰する。
【００２４】
図５は、本発明のトラックボールの使用状態の断面図を示す。本発明のトラックボール２０を含む部品が示されている。ボール部分は、上部部分２４と下部部分４０が球状を形成してトラックボール２０として機能する。上部部分２４は下部部分４０の内部に収納できる形状である。上部部分２４と下部部分４０はカム機構により接続されている。カム機構は、「プッシュ」すると「ロック」即ち固定する機構と、再度「プッシュ」すると「リリース」即ちロックを外す機構である。トラックボールの使用時では、収納状態の上部部分２４を直径下方向に押し込まれ、上部部分２４と下部部分４０とが縁部２６・２７において係合し使用可能なトラックボール２０を形成する。使用時では、上部部分２４の縁部２６は下部部分４０の縁部２７と一致するように、カム機構の弾性力により、直径外側方向に押しつけられる。上部部分２４の縁２６と下部部分４０の縁２７が係合して外部表面が滑らか球面を形成する。例えば、下部部分４０の縁２７の係合面がテーパ状をなす。上部部分２４の縁２６の係合面は、縁２７のテーパ状の係合面と係合して２つの部分の継ぎ目が滑らかな球状をなすように形成される。また、カム機構の直径外側方向の弾性的な付勢により上部部分２４が下部部分４０に縁部で係合してトラックボールの球状を形成する。この係合力は、手の平、指先などによるトラックボールとして回転運動の際に、ボール２０が上部部分２４と下部部分４０の縁部２６・２７において凹み、位置ずれなどを避けることができるためである。
【００２５】
図６は、本発明のトラックボールの収納状態の断面図を示す。
使用状態のボール部分２０は、上部部分２４をカム機構の弾性力に抗して直径下方向に圧されて下部部分４０の所定の位置でロックされる。ロックされた位置において上部部分２４の頂点は、下側部１６の表面３３と同一又はそれ以下に納まるよう設計される。
【００２６】
ボール２０はカバー３０の中で回転するため、収納時には格納部（上部部分２４）を上に持ってくる必要がある。目印として格納部の色を他の部分と変えておくことで容易に視認できるため、格納部を上に持ってくることができる。また、上部部分２４と下部部分４０の表面を「ザラザラ」と「滑らか」というように手触りなど触感で識別できるようにしてもよい。
【００２７】
この機構により、キーボードやトラックボールが搭載された下側部１６の高さがフラットになり、製品折りたたみ時の上側部１０と下側部の隙間を最小化することができる。これにより、トラックボールを搭載しつつ機器の薄型化を実現することができる。
【００２８】
以上で説明された構造のトラックボールを搭載した情報機器は、トラックボールの利用を可能にしつつ薄型化を実現できる。詳しくは、本発明のトラックボールを搭載したとしても、折り畳み可能な情報機器の上側部と下側部の隙間を最小化することができ、表示部表面を損傷しない効果が得られる。
【００２９】
以上、本発明を実施の形態を用いて説明したが、本発明の範囲は上記実施例には限定されない。本発明の精神及び範囲から逸脱することなく様々に変更したり代替態様を採用したりすることが可能なことは、当業者に明らかである。
【符号の説明】
【００３０】
１０…上側部、
１２…表示画面（ＬＣＤ）、
１４…ヒンジ、
１６…下側部、
１８…キーボード部分、
２０…トラックボール、
２２…カーソル確定スイッチ、
２４…トラックボールの上部部分、
２８…カム機構、
３０…トラックボールの筐体
３３…下側部の表面（パームレスト部）、
４０…トラックボールの下部部分、
３０…トラックボールの筐体
【図１】
0005812819.tif 000002
【図２】
0005812819.tif 000003
【図３】
0005812819.tif 000004
【図４】
0005812819.tif 000005
【図５】
0005812819.tif 000006
【図６】
0005812819.tif 000007